(57)【特許請求の範囲】
【請求項１】
ヘルメットの内部に配置されたひもに締結するラチェット及びバックルからなり、
該バックルには、その基本骨格であるベース部材にコイルバネを挿入したピンを介して操作部材を組み付け、上記コイルバネはピンを中心に操作部材をベース部材に引きつける方向に付勢されており、
上記ラチェットの表面には、係止用の複数の爪部が設けられており、
上記バックル内部にはラチェットの爪部に選択的に係止する係止部が設けられており、
上記ラチェットの端部をバックルに挿入して上記爪部に選択的に該係止部を係止し、上記バックルに設けられた操作部材を引き上げることによりその係止を解除するヘルメット用ラチェットバックルであって、
前記バックルが前記ベース部材と前記操作部材の間に、前記ピンを介して係止・解除部材が組み付けてあって、該係止・解除部材にはラチェットの爪部に係合できる前記係止部及び中央凸状部の両端部が設けられており、
操作部材は前端部を有し、係止・解除部材は前端部を有し、両前端部は操作部材の回動によって当接する構造であって、
前記操作部材を引き上げて反時計方向に回動させて、該操作部材に形成されている前端部を上記係止・解除部材の前端部に当接して、さらに、該係止・解除部材の係止部を回動させて前記ラチェットの爪部との係止を解除することを特徴とするヘルメット用ラチェットバックル。
【請求項２】
前記係止・解除部材が側板から成る側壁部と底板から成る係止・解除部から構成されており、
該側壁部には、前記ピンを挿入する貫通孔が設けられており、
上記係止・解除部には、前記ラチェットの爪部に係合する前記係止部及び中央凸状部の両端部と、前記操作部材の引き上げ操作に伴い、操作部材の前端部に当接して上記ラチェットの爪部との係止を解除する解除凸部とが設けられていることを特徴とする請求項１に記載のヘルメット用ラチェットバックル。
【請求項３】
前記係止部がピン軸方向に長い長方形状であり、ラチェットの挿入方向に対して前方から後方に向かって傾斜状に設けられており、
また、前記中央凸状部の両端部はピン軸方向に長い長方形状であり、前方から後方に向かって傾斜状に設けられており、そして、その中央部が凸状にプレス加工されており、
前記解除凸部の先端内側が円形状の凸部に形成されていることを特徴とする請求項２に記載のヘルメット用ラチェットバックル。
【請求項４】
前記側壁部の後端部が台形状凸部である止め部に形成されていることを特徴とする請求項３に記載のヘルメット用ラチェットバックル。
【請求項５】
前記操作部材の前端部に、前方両端部に凸状の扁平形状である押圧凸部が設けられていることを特徴とする請求項３に記載のヘルメット用ラチェットバックル。
【請求項６】
前記操作部材の前端部に設けられている前記押圧凸部が、前記係止・解除部材の前端部に設けられた前記解除凸部に当接し、前記係止・解除部材の係止部が回動して、前記ラチェットの爪部との係止を解除することを特徴とする請求項５に記載のヘルメット用ラチェットバックル。
【請求項７】
前記操作部材を引き上げる操作は、前記押圧凸部が解除凸部に当接するまでは前記コイルバネの付勢に抗する力で引き上げ、前記ラチェットとバックルの係止が解除されるまでは、前記バネの付勢よりも大きな力で引き上げることを特徴とする請求項６に記載のヘルメット用ラチェットバックル。
【発明の詳細な説明】
【技術分野】
【０００１】
本発明は、工事用或いはバイク用などのヘルメットに用いるヘルメット用ラチェットバックルに関する。詳細には、ヘルメットの内部に配置されたひもに締結する、ラチェットとそのラチェットを挿通するバックルからなり、該ラチェットの端部を該バックルに挿入してラチェットの複数の爪部と上記バックルを係止させ、その係止を引き上げ操作により解除するヘルメット用ラチェットバックルに関する。
【背景技術】
【０００２】
この種のヘルメットにおけるラチェットバックルとして、バンドとバックルとの係止状態を確実に行い、解除する時は容易に解除できるバックルが知られている。例えば、特許文献１に示す工事用ヘルメットに用いるバックルは、ヘルメットとその内部に設けられたハンモックと、ヘルメット内に設けられかつ着用者の頭部を囲繞するバックル付バンドとを有する構造のヘルメットであり、図１３に示すように、解除部材１１の基端部には、操作部１６が押された際に、弾性部材７の自由端９を持ち上げるための解除部１５が形成されている。解除部１５は、軸受部１２、１２に対して操作部１６とは反対側に位置しており、操作部１６を押すと梃子の原理により軸受部１２、１２を支点として解除部１５が持ち上がり、さらに弾性部材７の自由端９が持ち上げられる。これにより、係止部１０がバンド３の凹部１から外れ、バンド３の係止が解除される。上記のようにバンドを緩めるときには、梃子の原理を使用したことで、解除部材を比較的小さな力で押すだけで弾性部材を変位させることができる工事用ヘルメットに用いるバックルが提案されている（特許文献１参照）。
上記ヘルメット用バックルは、係止を解除する操作部１６を押し下げることでバンド３の係止が容易に解除できるために、誤って該操作部１６を押し下げてヘルメットが使用者の頭部から脱落する恐れがある。
【０００３】
特に、バイク用ヘルメットでは、ヘルメットが脱落することが人命に関わる危険な状況を生じるために、係止を解除する操作として押し下げる代わりに引き上げることで、安全性を確保する工事用或いはバイク用ヘルメットに用いるラチェットバックルが知られている。例えば、図１４に示す工事用或いはバイク用ヘルメットに用いる歯付きベルト締め具１（「歯合ベルト締め具」は「歯付きベルト締め具」の誤訳である。「ラチェットバックル」に相当）は、第１の締め部材２（ラチェット）及び第２の締め部材３（バックル）を備えており、これらラチェット及びバックルは、調整可能で係止できるヘルメット又はその他の物品の顎紐の夫々の端４、５に固定されている。
【０００４】
第１の歯止め１４は、ラチェット歯に係止をし、その係止をレバー１６の一端を引き上げて解除する、バックルの操作部材としての機能を備えている。この第１の歯止め１４はコイルバネ２０によって弾性的に付勢されている。上記ラチェットバックル１は、係止されている状態では、バックルの歯１９（係止爪）がベルト６（歯付きベルト）の歯部７（ラチェット歯）に係止されている。そして、上記第１の歯止め１４（操作部材）は、締め具（ラチェットバックル）を解除するために、上記レバー１６の一端を引き上げてベース１０（ベース部材）に対して回動させることにより、上記係止爪１９とラチェット歯７の係止が解除されるラチェットバックルが提案されている（特許文献２参照）。
【０００５】
上記ヘルメット用ラチェットバックルは、換言すれば、バックルがその基本骨格であるベース部材にコイルバネを挿入したピンを介して操作部材を組み付けて、該操作部材を時計方向に付勢しており、上記ラチェットの表面には係止用の複数の爪部を設けており、上記バックル内部には該複数の爪部に選択的に係止する係止部を設けており、上記ラチェットの端部をバックルに挿入して上記複数の爪部に選択的に該係止部を係止し、上記バックルに設けた操作部材を引き上げることによりその係止を解除する構造を有するものである。
【先行技術文献】
【特許文献】
【０００６】
【特許文献１】特開２００４−５０１号公報
【特許文献２】特開２００３−３３２０８号公報
【発明の概要】
【発明が解決しようとする課題】
【０００７】
特許文献２のラチェットバックル１は、レバー１６を係止爪１９とラチェット歯７の係止が解除される位置まで引き上げることで、その係止爪１９の回動により係止が解除されるものである。しかしながら、その係止が解除されるまでの引き上げる距離が短いために、誤って上記レバー１６をわずかでも引き上げてしまうと、簡単に係止が解除されてヘルメットが頭部から脱落する恐れがある。特に、バイク用ヘルメットでは、ヘルメットが誤った又は不慮の操作で脱落することが人命に関わる危険な状況を生じるために、上記レバー１６の引き上げる距離が短いことは、極めて危険である。それを回避するために、ラチェット歯７と係止爪１９の高さを大きくすることでレバーの引き上げる距離を長くすることも考えられるが、その引き上げ距離は僅かしか長くできず依然として誤った又は不慮のレバー操作を回避できない。また、その高さを大きくするとバックルの厚さが大きくなり、ラチェットバックルの厚さを薄くできない問題を生じる。
それ故に、本発明は、上記従来技術の問題点に鑑み、係止爪とラチェット歯の係止が解除されるレバーの引き上げる距離を長くすることで、誤った又は不慮のレバー操作でヘルメットが頭部から脱落せずに安全性が確保されると共に厚さが薄いヘルメット用ラチェットバックルを提供することを課題とする。
【課題を解決するための手段】
【０００８】
本発明者は、上記課題を解決するために、鋭意検討を重ねた結果、バックルが前記ラチェットを挿通するベース部材と操作部材（レバー）の間に、係止・解除部材を介在させることにより解除する操作距離を従来の２倍以上に長くできることを見出して、本発明を完成するに至った。
すなわち本発明は、以下の通りのものである。
請求項１に係る発明のヘルメット用ラチェットバックルは、
ヘルメットの内部に配置されたひもに締結するラチェット及びバックルからなり、該バックルには、その基本骨格であるベース部材にコイルバネを挿入したピンを介して操作部材を組み付け、上記コイルバネはピンを中心に操作部材をベース部材に引きつける方向に付勢されており、上記ラチェットの表面には、係止用の複数の爪部が設けられており、上記バックル内部にはラチェットの爪部に選択的に係止する係止部が設けられており、上記ラチェットの端部をバックルに挿入して上記爪部に選択的に該係止部を係止し、上記バックルに設けられた操作部材を引き上げることによりその係止を解除するヘルメット用ラチェットバックルであって、前記バックルが前記ベース部材と前記操作部材の間に、前記ピンを介して係止・解除部材が組み付けてあって、該係止・解除部材にはラチェットの爪部に係合できる前記係止部及び中央凸状部の両端部が設けられており、操作部材は前端部を有し、係止・解除部材は前端部を有し、両前端部は操作部材の回動によって当接する構造であって、前記操作部材を引き上げて反時計方向に回動させて、該操作部材に形成されている前端部を上記係止・解除部材の前端部に当接して、さらに、該係止・解除部材の係止部を回動させて前記ラチェットの爪部との係止を解除することを特徴とする。
請求項２に係る発明のヘルメット用ラチェットバックルは、
前記係止・解除部材が側板から成る側壁部と底板から成る係止・解除部から構成されており、該側壁部には、前記ピンを挿入する貫通孔が設けられており、上記係止・解除部には、前記ラチェットの爪部に係合する前記係止部及び中央凸状部の両端部と、前記操作部材の引き上げ操作に伴い、操作部材の前端部に当接して上記ラチェットの爪部との係止を解除する解除凸部とが設けられていることを特徴とする。
請求項３に係る発明のヘルメット用ラチェットバックルは、
前記係止部がピン軸方向に長い長方形状であり、ラチェットの挿入方向に対して前方から後方に向かって傾斜状に設けられており、また、前記中央凸状部の両端部はピン軸方向に長い長方形状であり、前方から後方に向かって傾斜状に設けられており、そして、その中央部が凸状にプレス加工されており、前記解除凸部の先端内側が円形状の凸部に形成されていることを特徴とする。
請求項４に係る発明のヘルメット用ラチェットバックルは、
前記側壁部の後端部が台形状凸部である止め部に形成されていることを特徴とする。
請求項５に係る発明のヘルメット用ラチェットバックルは、
前記操作部材の前端部に、前方両端部に凸状の扁平形状である押圧凸部が設けられていることを特徴とする。
請求項６に係る発明のヘルメット用ラチェットバックルは、
前記操作部材の前端部に設けられている前記押圧凸部が、前記係止・解除部材の前端部に設けられた前記解除凸部に当接し、前記係止・解除部材の係止部が回動して、前記ラチェットの爪部との係止を解除することを特徴とする。
請求項７に係る発明のヘルメット用ラチェットバックルは、
前記操作部材を引き上げる操作は、前記押圧凸部が解除凸部に当接するまでは前記コイルバネの付勢に抗する力で引き上げ、前記ラチェットとバックルの係止が解除されるまでは、前記バネの付勢よりも大きな力で引き上げることを特徴とする。
【発明の効果】
【０００９】
本発明のヘルメット用ラチェットバックルは、ベース部材と操作部材の間に、ピンを介して係止部を有する係止・解除部材を組み付けるだけで簡単に製造することができ、上記操作部材の引き上げ距離が従来の２倍以上の距離を引き上げることで係止が解除されるので、誤った又は不慮のレバー操作でヘルメットが頭部から脱落せずに安全性を確保でき、また、その厚さを薄くできる。
また、本発明のヘルメット用ラチェットバックルは、ベース部材と係止・解除部材がステンレス製板材をプレス加工で簡単に形成できるので製造コストを安価にでき、また、爪部と係止部及び中央凸状部の両端部の２段でこのステンレス製板材の厚さの面同士で当接しているので、ヘルメットが外部から強い衝撃を受けたとしても両部品が破損することはない。
更に、本発明のヘルメット用ラチェットバックルの操作部材を引き上げる力は、押圧凸部が解除凸部に当接するまでは前記コイルバネの付勢に抗する小さな力で引き上げ、ラチェットとバックルの係止が解除されるまでは、該ラチェットとバックルの係止状態の距離を短くするために、大きな力で引き上げる必要があり、操作部材を引き上げる距離が長いのと引き上げる力が変化するので、誤った又は不慮のレバー操作を発生させることを未然に防ぐことができる。
【図面の簡単な説明】
【００１０】
【図１】ヘルメット用ラチェットバックルの外観の斜視図である。
【図２】図１のバックルの分解斜視図である。
【図３】バックルのラチェット挿入側から見た正面図である。
【図４】バックルのベース部材の縦断面図である。
【図５】バックルの係止・解除部材の縦断面図である。
【図６】バックルの係止・解除部材の背面斜視図である。
【図７】バックルの操作部材の縦断面図である。
【図８】ラチェットの斜視図である。
【図９】ラチェットの縦断面図である。
【図１０】ラチェットとバックルの係止・解除部材が係止している状態を示す縦断面図である。
【図１１】ラチェットとバックルの係止・解除部材を解除する途中の状態を示す縦断面図である。
【図１２】ラチェットとバックルの係止・解除部材が解除される瞬間の状態を示す縦断面図である。
【図１３】従来のラチェットバックルの縦断面図である。
【図１４】従来のバイク用ヘルメット外観の斜視図と縦断面図である。
【発明を実施するための形態】
【００１１】
以下、本発明の最良の実施の形態につき、添付図面を参照して説明する。
図１は本発明のヘルメット用ラチェットバックルの外観の斜視図である。上記ヘルメット用ラチェットバックル１は、ヘルメットの内部に配置されたひもに締結する、ラチェット２０とそのラチェット２０を挿通するバックル２から構成されている。前記ラチェット２０の表面には係止用の複数の爪部２１を設ける一方、上記バックル２の内部には該複数の爪部２１に選択的に係止する係止部（図示せず）を設けており、上記ラチェット２０の端部をバックル２に挿入して上記複数の爪部２１に選択的に該係止部を係止し、上記バックル２に設けた操作部材５によりその係止を解除するものである。
なお、以下に参照して説明する図２〜図１２は、バックル２の前方であるラチェットを挿入する方向を左側に配置した図であることに注意をされたい。
【００１２】
図２は、図１のバックルの分解斜視図である。バックル２は、ラチェット２０を挿通するベース部材３、係止部４５を有する係止・解除部材４及び係止を解除するために引き上げる前記操作部材５を具備している。このベース部材３と係止・解除部材４は金属製で、金属であれば鉄、ステンレス等の強度の強いものが好ましく、ステンレス製が錆びないことから最も好ましい。上記操作部材５は、軽量化、加工性のしやすさからプラスチック製のものが好ましい。そして、上記ベース部材３、係止・解除部材４及び操作部材５は、ラチェット２０の挿入方向側の各側壁に同一軸の貫通孔３１、４１、５１が穿孔され、それらの貫通孔にピン６が挿入されていて、上記係止・解除部材４及び操作部材５がそのピン６を中心に回動できるように設けられている。
【００１３】
上記ベース部材３は、ステンレス製の板材をプレス加工により図２に示す構造に製造されたバックルの部品であり、その部品の各部分が有する機能又は形状に応じてそれに合致した名称を用いて符号３１〜３６が付されている。このベース部材３は、バックルの骨格の部材であって、貫通孔３１、３１、側壁部３２、３２、ラチェット挿入部３３、ひも係止部３４、ひも係止孔３５、そして、コイルバネ固定部３６、３６から構成されている。上記ラチェット挿入部３３は、Ｆの方向から挿入されるラチェット２０を案内してバックル２に挿入するものであり、上記ひも係止部３４は、ヘルメット内部に配置されたひもを上記ひも係止孔３５を通して係止させるものである。コイルバネ固定部３６、３６は後に説明する。
【００１４】
上記係止・解除部材４は、金属製の板材をプレス加工により図２に示す構造に製造されたバックルの部品であり、上記ベース部材３と同様にその部品の各部分が有する機能又は形状に応じてそれに合致した名称を用いて符号４１〜４６が付されている。この係止・解除部材４は、側板から成る側壁部４２、４２と底板から成る係止・解除部４３、４３から構成されており、その側板から成る側壁部４２、４２は、上記ピン６を挿入して上記係止・解除部材４を回動する孔である貫通孔４１、４１を設けており、上記底板から成る係止・解除部４３、４３は、ラチェット２０の爪部２１に係合する係止部４５と、上記操作部材５の引き上げ操作により、上記ラチェット２０の爪部２１との係止を解除する解除凸部４４、４４を設けている。
【００１５】
詳細には、底板から成る係止・解除部４３、４３は、側壁部４２、４２から直角に内側に延びており、その先端内側に円形状の凸部である解除凸部４４、４４が内側に向かって形成されている。その係止・解除部４３、４３間に長方形状の係止部４５と中央凸状部４６が橋脚されており、長方形状の係止部４５は、前方から後方に向かって傾斜状に且つ両端から台形状にプレス加工されている。その係止部４５の後端部がラチェット２０の爪部２１に係止する。そして、操作部材５の引き上げ操作は、上記操作部材５の後述する押圧凸部５２、５２が解除凸部４４、４４に当接して、反時計方向に上記係止・解除部材４を回動させてラチェット２０の爪部２１との係止を解除する。操作部材５は、係止が解除されると時計方向に回動して側壁部４２、４２の後端部に設けられた台形状凸部の止め部４２′、４２′に当接して、ラチェット２０を挿入する前の位置に戻る。
上記中央凸状部４６はその中央が凸状である形状に合わせてその両端部が傾斜するようにプレス加工されている。
このように、上記係止・解除部材４は、貫通孔４１、４１、側壁部４２、４２、止め部４２′、４２′、係止・解除部４３、４３、係止部４５、中央凸状部４６から構成されている。
上記操作部材５は、合成樹脂射出成形体からなり、図２に示す構造に成形されたバックルの部品であり、貫通孔５１、５１、押圧凸部５２、５２、操作部５３から構成されている。
【００１６】
図３は、バックルのラチェット挿入側から見た正面図である。このバックルの正面図を説明するに際して、符号を記載すると図が煩雑になるので記載されていない符号があるが、図２を参照して図２に付された符号を用いて説明する。
ベース部材３の貫通孔３１、３１に挿入されたピン６に、係止・解除部材４の貫通孔４１、４１、操作部材５の貫通孔５１、５１が挿入されている。
貫通孔５１は２個のコイルバネ７、７をその両端から挿入して、該コイルバネの内部先端をその中央付近で固定するためのものであり、そして、２個のコイルバネ７、７の外部先端を上記コイルバネ固定部３６に係止することで、操作部材５が時計方向に付勢される。ベース部材３と係止・解除部材４の隙間は、ラチェット２０の爪部２１の高さ（厚さ）より僅かながら狭い間隙が設けられている。また、係止・解除部材４と操作部材５に隙間があり、操作部材５の押圧凸接部５２、５２の真下に係止・解除部材４の解除当接部４４、４４が位置して設けられている。操作部５３を引き上げると、押圧凸部５２、５２が解除凸部４４、４４に当接して、係止・解除部材４が反時計方向に回動する。
【００１７】
図４は、バックルのベース部材の縦断面図である。ベース部材３は、上記縦断面図が示す形状にプレス加工されており、側壁部３２、３２に貫通孔３１、３１が穿孔され、側壁部３２、３２からその内側にコイルバネ固定部３６、３６が直角に屹立している。上記ラチェット挿入部３３、上記ひも係止部３４及び上記ひも係止孔３５は上記縦断面図が示す形状に形成されている。
図５は、バックルの係止・解除部材の縦断面図である。係止・解除部材４は、上記縦断面図が示す形状にプレス加工されており、側壁部４２、４２に貫通孔４１、４１が穿孔され、係止・解除部４３、４３（図示せず）のその先端内側に解除凸部４４、４４が内側に向かって形成されている。図２で説明したように、長方形状の係止部４５は傾斜上に設けられており、上記中央凸状部４６はその中央が凸状の形状に加工されている。
【００１８】
図６は、バックルの係止・解除部材の背面斜視図である。係止・解除部４３、４３のその先端内側に解除凸部４４、４４が内側に向かって形成されている。長方形状の係止部４５は、両端部から僅かに湾曲しながら前方に傾斜した形状に加工されおり、中央凸状部４６は、その両端部が上記係止部４５と同様に前方に傾斜した形状に加工され、その中央部がラチェット２０の爪部２１が通過できるように凸状に加工されている。また、その中央凸状部４６の両端部は、上記係止部４５と同様にラチェット２０の爪部２１に係止される。そして、上記中央凸状部４６の両端部は操作部材５の操作部５３が指で引き上げられて離したときに、該操作部材５に当接することで、付勢されていない元の位置に係止・解除部材４を戻す。
上記係止部４５及び中央凸状部４６の両端部は、安全性を向上させるために、その両後側面がラチェット２０の爪部２１に２段で係止することで、ラチェット２０とバックル２を係止している。
【００１９】
図７は、バックルの操作部材の縦断面図である。上述したように、貫通孔５１は２個のコイルバネ７、７をその両端から挿入して、該コイルバネ７、７の内部先端をその中央付近で固定するためのものであり、また、ピン６を挿入するための孔でもある。操作部材５の前端部である前方の両端部に凸状の扁平形状である押圧凸部５２、５２が設けられており、この押圧凸部５２、５２は、操作部５３を引き上げた時に係止・解除部材４の解除凸部４４、４４に当接するものである。その後方の中央には指で引き上げ易い形状の操作部５３が設けられている。軽量化を図るために操作部材５の中央を空洞又は両端を空洞にしても良い。
なお、コイルバネは２個のものを用いて付勢する実施形態を示したが、１個のものを用いても良い。その場合には、貫通孔５１が１個のコイルバネ７を左右何れかの一端から挿入して、該コイルバネ７の内部先端をその中央付近で固定するためのものであり、２個のコイルバネ７、７の付勢力と同じ付勢力を有するコイルバネ７を用いる必要がある。
【００２０】
図８は、ラチェットの斜視図である。このラチェットは、金属製の板材をプレス加工により図８に示す構造に製造されている。ラチェット２０の爪部２１の中央先端には、図９に示す緩やかな曲線形状の曲線部２４が設けられており、この曲線部２４は、ラチェット２０をバックル２に挿入する際に挿入し易くするために設けられている。爪部２１はその横幅が上記係止部４５の幅より短い。
上述したように、上記コイルバネ７、７が係止・解除部材４を時計方向に付勢しているが、ベース部材３と係止・解除部材４の隙間は、ラチェット２０の爪部２１の高さ（厚さ）より僅かながら狭い間隙のために、曲線形状の曲線部２４で上記係止・解除部材４の係止部４５を僅かながら押し上げて回動させて挿入する。
図９は、ラチェットの縦断面図である。図８で説明したように、板材のプレス加工により爪部２１を形成しているので、この爪部２１に係止する係止部４５と同様に金属板材の厚さの面同士が当接することになる。曲線部２４はその形状が曲線状であり、挿入し易くする機能と爪部２１としての機能も備えている。爪部２１はその数が５個の例を示しているが、この５個の爪部２１により最大と最小の長さの差は２ｃｍほどでありその長さを調整できる。爪部の個数は必要に応じて任意に増減できる。
【００２１】
図１０は、ラチェットとバックルの係止・解除部材が係止している状態を示す縦断面図である。
図１０に付した符号は図２及び図８と同じ部品を示しているので説明を省略する。
係止・解除部材４は一点鎖線で示し、操作部材５は実線で示している。ピン６を中心として操作部材５と係止・解除部材４は、コイルバネ７、７により時計方向に付勢されており、係止・解除部材４の係止部４５がラチェット２０の爪部２１に係止されている。爪部２１と係止部４５及び中央凸状部４６の両端部は、上述したように、ステンレス製板材のプレス加工により形成しているので、このステンレス製板材の厚さの面同士が２段で当接しているので、ヘルメットが外部から強い衝撃を受けたとしても両部品が破損することはなく、また、上記ステンレス製板材をプレス加工で簡単に形成できるので、製造コストを安価にできる。まして、バックル２は、図１５の操作部１６を押し下げる構造ではなく引き上げる構造なので、ヘルメットが脱落する恐れはない。
【００２２】
図１１は、ラチェットとバックルの係止・解除部材を解除する途中の状態を示す縦断面図である。
この縦断面図は、操作部材５の操作部５３を引き上げることで、押圧凸部５２、５２が解除当接部４４、４４に当接した状態を示すもので、その時の引き上げる距離は、図１１の操作部５３の後端部が引き上げる前の最初の位置をＸ１（以下、「最初の位置Ｘ１」という）とし、図１１の操作部５３の後端部が引き上げられて解除当接部４４、４４に当接する位置をＸ２（以下、「当接位置Ｘ２」という）として、引き上げる距離をｘ１で示している。係止部４５の一部が爪部２１に当接している状態では、この両者は係止する状態を維持している。操作部５３の距離ｘ１の引き上げは、コイルバネ７、７の付勢に抗する力を働かせればよいので、小さな力で引き上げればよい。上記爪部２１と係止部４５及び中央凸状部４６の両端部は両者のステンレス製板材の厚さの面が当接している。図１１の符号Ｏはピン６の中心点を示し、その中心点Ｏから引かれた一点鎖線は、そこから係止部４５の断面が長方形の当接面下端に引かれている。符号Ｙ１は上記当接面下端の位置を示している。
【００２３】
図１２は、ラチェットとバックルの係止・解除部材が解除される瞬間の状態を示す縦断面図である。
操作部５３の引き上げで押圧凸部５２、５２が解除当接部４４、４４に当接すると、係止・解除部材４を反時計方向に回動させようとするが、爪部２１及び係止部４５のステンレス製板材の厚さの面同士が当接しているので、上記係止部４５の当接面下端が上記爪部２１の当接面上端から解放されるまで係止が維持され、この当接面下端がその当接面上端から解放されことで係止が解除される。図１２のピン６の中心点Ｏから引かれた一点鎖線は、そこから係止部４５の断面が長方形の当接面下端に引かれている。符号Ｙ２は上記当接面下端、即ち上記爪部２１の当接面上端の位置を示している。図１２の当接位置Ｘ２から更に操作部５３の後端部が引き上げられて、係止から解除する位置Ｘ３までの距離をｘ２で示している。この引き上げによる距離ｘ２は、係止部４５の当接面下端が位置Ｙ１からＹ２に移動する距離ｙに対応している。操作部５３の距離ｘ２の引き上げは、バックルとラチェットの係止状態を更に距離ｙだけ短くするために、引き上げる力を強く働かせる必要があり、大きな引き上げ力でなければ解除されない。上記距離ｘ１は上記距離ｘ２の約１．５倍の距離である。
【００２４】
以上述べたことから以下のことが分かる。操作部５３の距離ｘ１の引き上げは、コイルバネ７、７の付勢に抗する力を働かせればよいので、小さな力で引き上げればよいが、その距離ｘ２の引き上げは、上記距離ｙだけ短くする力を働かせる必要があり、大きな力で引き上げなければ解除されない。従来のラチェットバックルは、操作部（レバー）の距離ｘ１の引き上げの代わりに、上記距離ｘ２の引き上げだけで係止が解除されていた。それに対して、本発明のラチェットバックルは、従来のその距離ｘ２の約１．５倍の距離を引き上げ、更に距離ｘ２を引き上げること、即ち従来の引き上げ距離１に対して２倍以上の距離を引き上げることで係止が解除さるので、誤った又は不慮のレバー操作が生じることがなくなり、ヘルメットが頭部から脱落せずに安全性が確保される。
【符号の説明】
【００２５】
１    ヘルメット用ラチェットバックル
２    バックル
２０  ラチェット
２１  爪部
２４  曲線部
３    ベース部材
３１  貫通孔
３２  側壁部
３３  ラチェット挿入部
３４  ひも係止部
３５  ひも係止孔
３６  コイルバネ固定部
４    係止・解除部
４１  貫通孔
４２  側壁部
４２′止め部
４３  係止・解除部
４４  解除凸部
４５  係止部
４６  中央凸状部
５    操作部材
５１  貫通孔
５２  押圧凸部
５３  操作部
６    ピン
７    コイルバネ
【図１】
0005854595.tif 000002
【図２】
0005854595.tif 000003
【図３】
0005854595.tif 000004
【図４】
0005854595.tif 000005
【図５】
0005854595.tif 000006
【図６】
0005854595.tif 000007
【図７】
0005854595.tif 000008
【図８】
0005854595.tif 000009
【図９】
0005854595.tif 000010
【図１０】
0005854595.tif 000011
【図１１】
0005854595.tif 000012
【図１２】
0005854595.tif 000013
【図１３】
0005854595.tif 000014
【図１４】
0005854595.tif 000015